(57)【要約】【課題】異なる配達束を作る作業負担を軽減することが可能な配達物処理装置を提供することにある。【解決手段】配達物処理装置は、配達物構成情報と配達順情報を対応付けた配達物処理データを記憶する記憶部と、前記配達物処理データに基づき、第１の配達物を作る第１の組み合わせ処理、及び第２の配達物を作る第２の組み合わせ処理を選択的に複数回実行し、配達順に前記第１又は第２の配達物を排出する配達物処理部と、を備える。【選択図】図２３
2017146917.tif 000002
【特許請求の範囲】
【請求項１】
配達物構成情報と配達順情報を対応付けた配達物処理データを記憶する記憶部と、
前記配達物処理データに基づき、第１の配達物を作る第１の組み合わせ処理、及び第２の配達物を作る第２の組み合わせ処理を選択的に複数回実行し、配達順に前記第１又は第２の配達物を排出する配達物処理部と、
を備える配達物処理装置。
【請求項２】
前記配達物構成情報は、購読紙種別情報と広告束種別情報とを含み、
前記第１の組み合わせ処理は、前記配達物処理データに基づき、第１の購読紙と１種類以上の広告を含む第１の広告束とを組み合わせて前記第１の配達物を作る請求項１の配達物処理装置。
【請求項３】
前記第２の組み合わせ処理は、前記配達物処理データに基づき、第２の購読紙と１種類以上の広告を含む第２の広告束とを組み合わせて前記第２の配達物を作る請求項２の配達物処理装置。
【請求項４】
前記第２の組み合わせ処理は、前記配達物処理データに基づき、前記第１の購読紙と１種類以上の広告を含む第２の広告束とを組み合わせて前記第２の配達物を作る請求項２の配達物処理装置。
【請求項５】
前記第２の組み合わせ処理は、前記配達物処理データに基づき、第２の購読紙と前記第１の広告束とを組み合わせて前記第２の配達物を作る請求項２の配達物処理装置。
【請求項６】
前記第２の組み合わせ処理は、前記配達物処理データに基づき、前記第１の購読紙により広告束を含まない前記第２の配達物を作る請求項２の配達物処理装置。
【請求項７】
前記第２の組み合わせ処理は、前記配達物処理データに基づき、１種類以上の広告を含む第２の広告束により前記第２の配達物を作る請求項２の配達物処理装置。
【請求項８】
前記第２の組み合わせ処理は、前記配達物処理データに基づき、冊子と１種類以上の広告を含む第２の広告束とを組み合わせて前記第２の配達物を作る請求項２の配達物処理装置。
【請求項９】
前記配達物処理部は、前記配達物処理データに基づき、第１の配達順位から第２の配達順位まで前記第１及び第２の組み合わせ処理を選択的に複数回実行し、第３の配達順位から第４の配達順位まで前記第１の組み合わせ処理と第３の組み合わせ処理を選択的に複数回実行し、
前記第３の組み合わせ処理は、前記第２の購読紙と前記第１の広告束とを組み合わせて第３の配達物を作る請求項３の配達物処理装置。
【請求項１０】
前記記憶部は、前記第１の広告束を構成する広告の種別に関する第１の広告種別情報を記憶し、
前記配達物処理部は、前記配達物処理データ及び前記第１の広告種別情報に基づき、１種類以上の広告から前記第１の広告束を作る第１の広告処理を実行し、さらに、前記第１及び第２の組み合わせ処理を選択的に実行する請求項３の配達物処理装置。
請求項２の配達物処理装置。
【請求項１１】
前記記憶部は、前記第２の広告束に含まれる広告の種別に関する第２の広告種別情報を記憶し、
前記配達物処理部は、前記配達物処理データ、前記第１及び第２の広告種別情報に基づき、前記第１の広告処理、及び１種類以上の広告から前記第２の広告束を作る第２の広告処理を選択的に実行し、さらに、前記第１及び第２の組み合わせ処理を選択的に実行する請求項１０の配達物処理装置。
【請求項１２】
前記第１の購読紙と前記第１の広告束との第１の組み合わせの入力を受け付ける入力部を備える請求項２の配達物処理装置。
【請求項１３】
複数種類の購読紙をセットする複数の棚と、
前記第１の組み合わせの入力に対応して前記複数の棚の中の第１の棚へ前記第１の購読紙をセットすることをガイドし、前記第２の組み合わせの入力に対応して前記複数の棚の中の第２の棚へ前記第２の購読紙をセットすることをガイドするガイド部と、
を備える請求項３の配達物処理装置。
【請求項１４】
前記第１の購読紙と前記第１の広告束と第１の生活情報との第１の組み合わせの入力、及び前記第１の購読紙と前記第２の広告束と第２の生活情報との第２の組み合わせの入力を受け付ける入力部を備え、
前記第１の組み合わせ処理は、前記第１の組み合わせの入力に基づき、前記第１の配達物を作り、
前記第２の組み合わせ処理は、前記第２の組み合わせの入力に基づき、前記第２の配達物を作る請求項４の配達物処理装置。
【請求項１５】
配達物構成情報と配達順情報を対応付けた配達物処理データに基づき、第１の配達物を作る第１の組み合わせ処理、及び第２の購読紙と第２の広告束とを組み合わせて第２の配達物を作る第２の組み合わせ処理を選択的に複数回実行させる手順をコンピュータに実行させるための配達物処理プログラム。
【請求項１６】
第１の広告束を構成する広告の種別に関する第１の広告種別情報を記憶する記憶部と、
前記第１の広告種別情報及び指定された第１の部数に基づき１種類以上の広告から前記第１の部数の前記第１の広告束を作り、第１の購読紙と前記第１の広告束とを組み合わせて前記第１の部数の第１の配達物を作る配達物処理部と、
を備える配達物処理装置。
【請求項１７】
前記記憶部は、第２の広告束を構成する広告の種別に関する第２の広告種別情報を記憶し、
前記配達物処理部は、前記第２の広告種別情報及び指定された第２の部数に基づき１種類以上の広告から前記第２の部数の前記第２の広告束を作り、前記第１の購読紙と前記第２の広告束とを組み合わせて前記第２の部数の第２の配達物を作る請求項１６の配達物処理装置。
【請求項１８】
前記記憶部は、第１の区域情報に対応する第１の部数、前記第１の広告種別情報、及び前記第１の購読紙を指定する第１の購読紙種別情報を記憶し、
前記配達物処理部は、指定された前記第１の区域情報に基づき前記第１の部数の前記第１の広告束を作り、前記第１の購読紙と前記第１の広告束とを組み合わせて前記第１の部数の第１の配達物を作る請求項１６の配達物処理装置。
【請求項１９】
前記記憶部は、第２の区域情報に対応する第２の部数、第２の広告束を構成する広告の種別に関する第２の広告種別情報、及び第２の購読紙を指定する第２の購読紙種別情報を記憶し、
前記配達物処理部は、指定された前記第２の区域情報に基づき前記第２の部数の前記第２の広告束を作り、前記第２の購読紙と前記第２の広告束とを組み合わせて前記第２の部数の第２の配達物を作る請求項１８の配達物処理装置。
【請求項２０】
第１の広告束を構成する広告の種別に関する第１の広告種別情報及び指定された第１の部数に基づき１種類以上の広告から前記第１の部数の前記第１の広告束を作り、第１の購読紙と前記第１の広告束とを組み合わせて前記第１の部数の第１の配達物を作る配達物処理プログラム。
【発明の詳細な説明】
【技術分野】
【０００１】
本発明の実施形態は、配達物処理装置及び配達物処理プログラムに関する。
【背景技術】
【０００２】
複数種類の広告を丁合し広告束を作る丁合機が知られている。また、新聞（朝刊、夕刊）等の購読紙に対して上記の広告束を挿入する挿入機が知られている。丁合機と挿入機を組み合わせて使用することにより、購読紙と広告束とが組み合わせられた配達物が作られる。複数部数の配達物は、各配達先へ配達される。
【０００３】
上記説明では、１種類の購読紙に対して１種類の広告束をセットするケースを想定したが、異なる種類の購読紙に対して異なる種類の広告束をセットすることが想定される。このようなケースでは、まず、丁合機に種類別の広告束をセットして各広告束から一部ずつ広告を取り出して丁合し第１の広告束を複数セット作る。続いて、挿入機に複数の第１の購読紙と複数の第１の広告束をセットして第１の購読紙に対して第１の広告束を挿入し第１の配達物を複数セット作る。さらに、丁合機に、上記とは異なる組み合わせの種類別の広告束をセットして各広告束から一部ずつ広告を取り出して丁合し第２の広告束を複数セット作る。続いて、挿入機に複数の第２の購読紙と複数の第２の広告束をセットして第２の購読紙に対して第２の広告束を挿入し第２の配達物を複数セット作る。
【０００４】
第１の購読紙の配達先（配達順１）には第１の配達物が配達され、第２の購読紙の配達先（配達順２）には第２の配達物が配達される。
【先行技術文献】
【特許文献】
【０００５】
【特許文献１】特開２０１２−８６９７９号公報
【発明の概要】
【発明が解決しようとする課題】
【０００６】
上記の通り、異なる種類の購読紙に対して異なる種類の広告束をセットし、異なる配達物を作る作業負担、又は異なる配達物を指定された配達先（配達順）に配達する作業負担を軽減する技術が要望されている。
【０００７】
また、一種類の購読紙に対して異なる種類の広告束をセットし、異なる種類の配達物を作る作業負担、又は異なる種類の購読紙に対して一種類の広告束をセットし、異なる種類の配達物を作る作業負担を軽減する技術も要望されているし、これら異なる種類の配達物を指定された配達先（配達順）に配達する作業負担を軽減する技術も要望されている。
【０００８】
さらに、単一の購読紙に対して異なる種類の広告束をセットし、配達区域別に、購読紙同一で広告束の異なる配達物を配達するケースも想定される。そのため、このような広告束を作る作業負担を軽減する技術も要望されている。
【０００９】
上記のように、様々な条件で異なる配達物を作る作業負担、又は異なる配達物を指定された配達順（又は配達先）に配達する作業負担を軽減する技術が要望されている。
【００１０】
又は、丁合機が受け持つ丁合処理と、挿入機が受け持つ挿入処理とが別工程であるが故の作業負担を軽減する技術も要望されている。
【００１１】
本発明の目的は、異なる種類の配達物を作る作業負担を軽減することが可能な配達物処理装置及び配達物処理プログラムを提供することにある。
【００１２】
また、本発明の目的は、異なる種類の配達物を指定された配達先（配達順）に配達する作業負担を軽減することが可能な配達物処理装置及びその配達物処理プログラムを提供することにある。
【００１３】
また、本発明の目的は、丁合処理及び挿入処理の作業負担を軽減することが可能な配達物処理装置及びその配達物処理プログラムを提供することにある。
【課題を解決するための手段】
【００１４】
上記目的を達成するためにこの発明の配達物処理装置は、以下のように構成されている。
【００１５】
例えば、配達物処理装置は、配達物構成情報と配達順情報を対応付けた配達物処理データを記憶する記憶部と、前記配達物処理データに基づき、第１の配達物を作る第１の組み合わせ処理、及び第２の配達物を作る第２の組み合わせ処理を選択的に複数回実行し、配達順に前記第１又は第２の配達物を排出する配達物処理部と、を備える。
【発明の効果】
【００１６】
本発明によれば、異なる種類の配達物を作る作業負担を軽減することが可能な配達物処理装置及び配達物処理プログラムを提供できる。
【００１７】
また、本発明によれば、異なる種類の配達物を指定された配達先（配達順）に配達する作業負担を軽減することが可能な配達物処理装置及びその配達物処理プログラムを提供できる。
【００１８】
また、本発明によれば、丁合処理及び挿入処理の作業負担を軽減することが可能な配達物処理装置を提供できる。
【図面の簡単な説明】
【００１９】
【図１】各実施形態に共通の丁合挿入機（配達物処理装置）の概略構成の一例を示す図である。
【図２】各実施形態に共通の丁合挿入機の機能構成の一例を示すブロック図である。
【図３】個人情報データベースの第１例を示す図である。
【図４】組み合わせ条件の第１例を示す図である。
【図５】道順データベースの一例を示す図である。
【図６】インジケータの点滅により所定の棚に所定の購読紙をセットさせるためのガイド表示の第１例を示す図である。
【図７】所定の棚に所定の購読紙をセットさせるためのガイド表示に対応するインジケータの点滅の第１例を示す図である。
【図８】インジケータの点滅に対応して所定の棚にセットされた所定の購読紙が束設置検知センサにより検知され、所定の棚と所定の購読紙とが対応付けられる第１例を示す図である。
【図９】インジケータの点滅により所定の棚に所定の購読紙をセットさせるためのガイド表示の第２例を示す図である。
【図１０】所定の棚に所定の購読紙をセットさせるためのガイド表示に対応するインジケータの点滅の第２例を示す図である。
【図１１】インジケータの点滅に対応して所定の棚にセットされた所定の購読紙が束設置検知センサにより検知され、所定の棚と所定の購読紙とが対応付けられる第２例を示す図である。
【図１２】インジケータの点滅により所定の棚に所定の広告をセットさせるためのガイド表示の第１例を示す図である。
【図１３】所定の棚に所定の広告をセットさせるためのガイド表示に対応するインジケータの点滅の第１例を示す図である。
【図１４】インジケータの点滅に対応して所定の棚にセットされた所定の広告が束設置検知センサにより検知され、所定の棚と所定の広告とが対応付けられる第１例を示す図である。
【図１５】各棚にセットされた購読紙の種別や広告の種別を文字や記号等で表示する表示例を示す図である。
【図１６】第１の広告処理及び第１の組み合わせ処理の一例を示す図である。
【図１７】第２の広告処理及び第２の組み合わせ処理の一例を示す図である。
【図１８】第１及び第２の広告処理の選択的実行、並びに第１及び第２の組み合わせ処理の選択的実行により、配達の昇順又は降順に各配達物が並べられて作られた配達物セットの第１例を示す図である。
【図１９】組み合わせ条件の第２例を示す図である。
【図２０】購読紙無しの配達先に所定の広告を配達する条件を考慮し、配達の昇順又は降順に各配達物が並べられて作られた配達物セットの第２例を示す図である。
【図２１】組み合わせ条件の第３例を示す図である。
【図２２】購読紙無しの配達先に所定の広告を配達する条件を考慮し、配達の昇順又は降順に各配達物が並べられて作られた配達物セットの第３例を示す図である。
【図２３】配達物処理の一例を示すフローチャートである。
【図２４】個人情報データベースの第２例を示す図である。
【図２５】組み合わせ条件の第４例を示す図である。
【発明を実施するための形態】
【００２０】
以下、各実施形態について図面を参照して説明する。
【００２１】
図１は、各実施形態に共通の丁合挿入機（配達物処理装置）の概略構成の一例を示す図である。図２は、各実施形態に共通の丁合挿入機の機能構成の一例を示すブロック図である。
【００２２】
丁合挿入機１は、丁合処理及び挿入処理を実行することができる。例えば、丁合挿入機１は、第１の丁合処理を実行し、丁合挿入機１にセットされた複数の種別広告束のうちの１以上の種別広告束を取込み対象とし、各取り込み対象の１以上の種別広告束から、一部ずつ広告を取り出して丁合し第１の広告束を順に複数セット作る。また、丁合挿入機１は、第２の丁合処理を実行し（取り込み対象の種別広告束を変更することにより）、第１の広告束と異なる第２の広告束を複数セット作ることもできる。
【００２３】
また、丁合挿入機１は、第１の挿入処理（第１の組み合わせ処理又は第１の配達物作成処理）を実行し、丁合挿入機１にセットされた複数の種別購読紙のうち第１の購読紙を取込み対象とし、第１の購読紙に対して、第１の丁合処理により順に作られる第１の広告束を挿入することにより、第１の購読紙と第１の広告束とが組み合わせられた第１の配達物を作ることができる。また、丁合挿入機１は、第２の挿入処理（第２の組み合わせ処理又は第２の配達物作成処理）を実行し、丁合挿入機１にセットされた複数の種別購読紙のうち第２の購読紙を取込み対象とし、第２の購読紙に対して、第２の丁合処理により順に作られる第２の広告束を挿入することにより、第２の購読紙と第２の広告束とが組み合わせられた第２の配達物を作ることができる。なお、各実施形態に共通して、購読紙を購読紙以外の冊子等に読み替えても良い。
【００２４】
なお、上記説明では、丁合処理と挿入処理とを一連の流れで実行するように説明したが、第１段階において丁合処理で第１及び第２の広告束を作り、第２段階において挿入処理で第１及び第２の配達物を作るようにしてもよい。例えば、丁合挿入機１とは別の丁合機を用いて作られた第１及び第２の広告束を丁合挿入機１にセットし、丁合挿入機１が、挿入処理以降を受け持つようにしてもよい。
【００２５】
なお、上記説明した第１及び第２の挿入処理、並びに第１及び第２の組み合わせ処理は、一例であり、提供（排出）される第１及び第２の配達物が異なる種類の配達物であれば、どのような配達物であってもよい。
【００２６】
例えば、第１の組み合わせ処理は、以下の（１）の第１の配達物を作る。
（１）第１の配達物は第１の購読紙と第１の広告束
例えば、第２の組み合わせ処理は、以下の（２）〜（７）の何れかの第２の配達物を作る。
（２）第２の配達物は第２の購読紙と第２の広告束
（３）第２の配達物は第１の購読紙と第２の広告束
（４）第２の配達物は第２の購読紙と第１の広告束
（５）第２の配達物は第１の購読紙のみ（広告束含まない）
（６）第２の配達物は広告束のみ（購読紙含まない）
（７）第２の配達物は冊子（フリーペーパー等）と広告束
（１）の第１の組み合わせ処理と（２）〜（７）の何れかの第２の組み合わせ処理とを組み合わせて実施してもよいし、（１）の第１の組み合わせ処理と他の組み合わせ処理とを組み合わせ実施してもよいし、（２）〜（７）の何れかの第２の組み合わせ処理と他の組み合わせ処理とを組み合わせて実施してもよい。
【００２７】
上記説明では、第２の丁合処理により第２の広告束を作り、第２の購読紙に対して第２の広告束を挿入する処理を第２の挿入処理と称したが、上記（５）のケースでは、第２の丁合処理を実行せず（第２の広告束を作らず）、第２の挿入処理だけを実行している。この場合、第２の購読紙だけが第２の配達物として提供される。或いは、上記（６）のケースでは、第２の丁合処理を実行し（第２の広告束を作り）、第２の挿入処理において第２の購読紙等を取り込まない。この場合、第２の広告束だけが第２の配達物として提供される。或いは、上記（７）のケースでは、第２の挿入処理において第２の購読紙に替えて冊子（フリーペーパー等）に対して第２の広告束を挿入する。この場合、冊子と第２の広告束とが第２の配達物として提供される。
【００２８】
図２に示すように、丁合挿入機１は、制御部１１、記憶部１２、通信部１３、情報処理部１４、入力部１５、ディスプレイ１６、タッチパネル１７、束設置検知センサ１８、インジケータ１９、丁合挿入処理機構２０等を備える。
【００２９】
制御部１１は、プロセッサー等により構成され、丁合処理及び挿入処理を制御する。記憶部１２は、制御部１１の動作プログラム、及び配達物処理データ等を記憶する。配達物処理データは、配達物構成情報と配達順情報とを対応付けたデータである。つまり、配達物処理データは、１〜Ｎ（Ｎ≧２、Ｎ：整数）番目の配達順に、どのような構成（内容物）の配達物を配達すべきかを示すデータである。
【００３０】
通信部１３は、有線又は無線にて、コンピュータやスマートフォン等の外部装置及び各種情報記憶媒体等と通信可能に構成され、動作プログラム、及び配達物処理データ等を受信する。情報処理部１４は、受信又は記憶された配達物処理データを解析し、丁合処理及び挿入処理を制御するための制御情報を生成する。
【００３１】
なお、配達物処理データは、個人情報データベース、組み合わせ条件（広告種別情報を含む）、及び道順データベースから生成することができ、例えば、外部のパーソナルコンピュータ等で生成された配達物処理データを通信部１３が受信し記憶部１２が記憶する。或いは、通信部１３が個人情報データベース及び道順データベースを受信し、入力部１５が組み合わせ条件を入力し、情報処理部１４が個人情報データベース、組み合わせ条件、及び道順データベースから配達物処理データを生成するようにしてもよい。なお、後述するが道順データベースは必須ではなく、どのような構成（内容物）の配達物を何番目に配達するかを示す情報があればよい。
【００３２】
入力部１５は、ユーザ（オペレータ）からの各種の入力を受け付ける。例えば、入力部１５は、ディスプレイ１６を備え、ディスプレイ１６に対応してタッチパネル１７が設けられる。ディスプレイ１６は、丁合処理及び挿入処理に関する各種情報を表示し、タッチパネル１７は、丁合処理及び挿入処理に関する各種情報の入力を受け付ける。
【００３３】
丁合挿入処理機構２０は、種別広告束、種別購読紙を収納したり、フリーペーパー等を収納したりする複数の棚を備え、上記説明した丁合処理及び挿入処理を実行することができる。例えば、図１に示すように、丁合挿入処理機構２０は、種別広告束を収納する複数の棚ＳＨＥ１〜９、種別購読紙を収納する複数の棚ＳＨＥ１１〜１５を備え、各棚ＳＨＥ１〜９に対応する束設置検知センサＳＥＮ１〜９及びインジケータＩＮＤ１〜９、各棚ＳＨＥ１１〜１５に対応する束設置検知センサＳＥＮ１１〜１５及びインジケータＩＮＤ１１〜１５を備える。
【００３４】
なお、本実施形態では、説明を分かりやすくする上で、一方向（前面）から挿入される種別広告束を受け入れる棚ＳＨＥ１〜９、及び同一方向（前面）から挿入される種別購読紙を受け入れる棚ＳＨＥ１１〜１５を備える丁合挿入機１について説明するが、本実施形態はこれに限定されるものではない。例えば、丁合挿入機１は、棚ＳＨＥ１〜９、１１〜１５に加えて、反対方向（背面）から挿入される種別広告束を受け入れる複数の棚（棚ＳＨＥ１〜９に対向して配置される複数の棚）、及び同一方向（背面）から挿入される種別購読紙を受け入れる複数の棚（棚ＳＨＥ１１〜１５に対向して配置される複数の棚）を備える構成としてもよい。その場合、例えば、一方向からの挿入が可能な棚（例えば棚ＳＨＥ１１〜１５）に第１の購読紙をセットし、反対方向から挿入が可能な棚（例えば棚ＳＨＥ１１〜１５に対応して配置される棚）に第２の購読紙をセットする構成としてもよい。これにより、種類別の購読紙のセットの間違いを防止することができる。
【００３５】
（第１の実施形態）
図３は個人情報データベース、図４は組み合わせ条件（広告種別情報を含む）、及び図５は道順データベースの一例を示す図である。
【００３６】
図３に示すように、個人情報データベースは、氏名と配達先住所情報と購読紙種別情報とを対応付けた登録情報を複数含む。購読紙種別情報は、第１の購読紙Ｎ１、第２の購読紙Ｎ２のように購読紙の種別を含み、また、購読紙が無いことを示す情報も含む。さらに、購読紙種別情報が、フリーペーパー（冊子）を特定する情報を含んでもよい。図５に示すように、道順データベースは、各住所と配達順の関係を示すデータを含む。例えば、各住所に配達順位を割り振ることにより、各住所と配達順の関係を示すデータを構築することができる。なお、個人情報データベースが配達順位の情報を有することにより（或いは個人情報データベース中の住所に替えて配達順位を有することにより）、道順データベースを省略するようにしてもよい。
【００３７】
図４に示すように、ディスプレイ１６は、条件設定画面を表示し、ユーザは、タッチパネル１７を介して、購読紙種別と広告束種別と広告を選択する。例えば、第１の購読紙Ｎ１と第１の広告束ＡＤＢ１と広告ＡＤ１、２、３（第１の広告種別情報）が選択され、さらに、第２の購読紙Ｎ２と第２の広告束ＡＤＢ２と広告ＡＤ１、３、５が（第２の広告種別情報）選択されると仮定する。これらの選択操作は、広告ＡＤ１、２、３を丁合して第１の広告束ＡＤＢ１を作り、第１の購読紙Ｎ１に対して第１の広告束ＡＤＢ１を挿入して第１の配達物を作ることの指定入力を意味し、広告ＡＤ１、３、５を丁合して第２の広告束ＡＤＢ２を作り、第２の購読紙Ｎ２に対して第２の広告束ＡＤＢ２を挿入して第２の配達物を作ることの指定入力を意味する。つまり、条件設定画面を介して入力された情報に基づき、上記説明した（１）の第１の組み合わせ処理、（２）〜（７）の何れかの第２の組み合わせ処理を実行することができる。
【００３８】
なお、本実施形態では、図４に示す条件設定画面を介して、購読紙種別と広告束種別と広告の対応関係を入力するケースについて説明するが、本実施形態はこれだけに限定されるものではない。例えば、購読紙種別と広告束種別と広告の対応関係を示す識別情報（文字情報、コード情報など）を情報認識装置で読み取り、読み取った結果（購読紙種別と広告束種別と広告の対応関係を示す情報）を入力するようにしてもよい。この場合、ユーザによる入力作業負担が軽減されるとともに、入力ミスを防止することもできる。以下、条件設定画面を介して、購読紙種別と広告束種別と広告の対応関係を入力するケースを一例として説明を続ける。
【００３９】
記憶部１２は、条件設定画面を介して入力された情報を記憶し、制御部１１及び情報処理部１４は、条件設定画面を介して入力された情報に基づき、各購読紙と各棚、各広告と各棚とを対応付ける。例えば、ディスプレイ１６（ガイド部）は、インジケータ点滅中の棚ＳＨＥ１１に第１の購読紙Ｎ１をセットする旨を表示（ガイド）する（図６）。ユーザが、インジケータＩＮＤ１１（ガイド部）が点滅している棚ＳＨＥ１１に対して第１の購読紙Ｎ１の束をセットすると（図７）、センサＳＥＮ１１が第１の購読紙Ｎ１の束のセットを検出し、インジケータＩＮＤ１１の点滅が点灯へ切り替わる（図８）。この一連の処理により、第１の購読紙Ｎ１と棚ＳＨＥ１１との対応付けが完了する。
【００４０】
続いて、ディスプレイ１６（ガイド部）は、インジケータ点滅中の棚ＳＨＥ１２に第２の購読紙Ｎ２をセットする旨を表示（ガイド）する（図９）。ユーザが、インジケータＩＮＤ１２（ガイド部）が点滅している棚ＳＨＥ１２に対して第２の購読紙Ｎ２の束をセットすると（図１０）、センサＳＥＮ１２が第２の購読紙Ｎ２の束のセットを検出し、インジケータＩＮＤ１２の点滅が点灯へ切り替わる（図１１）。この一連の処理により、第２の購読紙Ｎ２と棚ＳＨＥ１２との対応付けが完了する。
【００４１】
続いて、ディスプレイ１６（ガイド部）は、インジケータ点滅中の棚ＳＨＥ１に広告ＡＤ１の束をセットする旨を表示（ガイド）する（図１２）。ユーザが、インジケータＩＮＤ１（ガイド部）が点滅している棚ＳＨＥ１に対して広告ＡＤ１の束をセットすると（図１３）、センサＳＥＮ１が広告ＡＤ１の束のセットを検出し、インジケータＩＮＤ１の点滅が点灯へ切り替わる（図１４）。この一連の処理により、広告ＡＤ１と棚ＳＨＥ１との対応付けが完了する。
【００４２】
以下、同様にして、広告ＡＤ２と棚ＳＨＥ２との対応付け、広告ＡＤ３と棚ＳＨＥ３との対応付け、広告ＡＤ４と棚ＳＨＥ４との対応付け、広告ＡＤ５と棚ＳＨＥ５との対応付けが完了する。
【００４３】
なお、図１５に示すように、インジケータＩＮＤ１〜９、１１〜１５に替えて各棚に液晶表示部等を配置し、各棚の液晶表示部が、各棚にセットされた購読紙の種別や広告の種別を文字や記号等で表示するようにしてもよい。或いは、広告の束がセットされた棚の液晶表示部が、組み合わせ先となる購読紙の種別を表示するようにしてもよい。つまり、広告ＡＤ１がセットされた棚ＳＨＥ１の液晶表示部が購読紙Ｎ１、Ｎ２を表示し、広告ＡＤ２がセットされた棚ＳＨＥ２の液晶表示部が購読紙Ｎ１を表示し、広告ＡＤ３がセットされた棚ＳＨＥ３の液晶表示部が購読紙Ｎ１、Ｎ２を表示し、広告ＡＤ５がセットされた棚ＳＨＥ５の液晶表示部が購読紙Ｎ２を表示する。これにより、どの棚の購読紙とどの棚の広告とが組み合わせられるかを目視確認することができる。
【００４４】
また、組み合わせられる第１の購読紙Ｎ１と広告ＡＤ１、ＡＤ２、ＡＤ３を順にセットさせ、その後、残りの第２の購読紙Ｎ２とＡＤ５を順にセットするようにしてもよい。
【００４５】
なお、各購読紙と各棚、各広告と各棚との対応付けは、他の方法を用いてもよい。例えば、事前に、各棚に各購読紙をセットし、各棚に各広告の束をセットし、条件設定画面を介して棚番号と購読紙種別とを入力し、棚番号と広告種別とを入力するようにしてもよい。
【００４６】
各購読紙と各棚、各広告と各棚との対応付けが完了すると、制御部１１及び丁合挿入処理機構２０は、配達物処理データに基づき、１以上の種類の広告から第１の広告束ＡＤＢ１を作る第１の広告処理（図１６）、及び１以上の種類の広告から第２の広告束ＡＤＢ２を作る第２の広告処理（図１７）を選択的に実行し、さらに、第１の購読紙Ｎ１と第１の広告束ＡＤＢ１とを組み合わせて第１の配達物を作る第１の組み合わせ処理（図１６）、及び第２の購読紙Ｎ２と第２の広告束ＡＤＢ２とを組み合わせて第２の配達物を作る第２の組み合わせ処理（図１７）を選択的に複数回実行し、配達の昇順又は降順に第１又は第２の配達物を排出する。
【００４７】
即ち、制御部１１及び丁合挿入処理機構２０は、配達物処理データに基づき、第２の広告処理（図１７）を選択して第２の広告束ＡＤＢ２を作り、第２の組み合わせ処理（図１７）を選択して第２の配達物を作り、続いて、第２の広告処理（図１７）を選択して第２の広告束ＡＤＢ２を作り、第２の組み合わせ処理（図１７）を選択して第２の配達物を作り、続いて、第１の広告処理（図１６）を選択して第１の広告束ＡＤＢ１を作り、第１の組み合わせ処理（図１６）を選択して第１の配達物を作り、配達の昇順に、第２の配達物、第２の配達物、第１の配達物を排出する。或いは、配達の降順になるように、逆の順序で処理をするようにしてもよい。
【００４８】
より具体的には、制御部１１及び丁合挿入処理機構２０は、第１の広告処理を選択した場合、棚ＳＨＥ１から広告ＡＤ１を取り出し、棚ＳＨＥ２から広告ＡＤ２を取り出し、棚ＳＨＥ３から広告ＡＤ３を取り出し、広告ＡＤ１、ＡＤ２、ＡＤ３を丁合し、第１の広告束ＡＤＢ１を作る。また、制御部１１及び丁合挿入処理機構２０は、第２の広告処理を選択した場合、棚ＳＨＥ１から広告ＡＤ１を取り出し、棚ＳＨＥ３から広告ＡＤ３を取り出し、棚ＳＨＥ５から広告ＡＤ５を取り出し、広告ＡＤ１、ＡＤ３、ＡＤ５を丁合し、第２の広告束ＡＤＢ２を作る。
【００４９】
また、制御部１１及び丁合挿入処理機構２０は、第１の組み合わせ処理を選択した場合、棚ＳＨＥ１１から第１の購読紙Ｎ１を取り出し、第１の購読紙Ｎ１に対して第１の広告束ＡＤＢ１を挿入して第１の配達物を作る。また、制御部１１及び丁合挿入処理機構２０は、第２の組み合わせ処理を選択した場合、棚ＳＨＥ１２から第２の購読紙Ｎ２を取り出し、第２の購読紙Ｎ２に対して第２の広告束ＡＤＢ２を挿入して第２の配達物を作る。
【００５０】
以上により、図１８に示すように、比較的容易に（軽い作業負担で）、配達の昇順（又は降順）に、第１の配達物及び第２の配達物が並べられた配達物セットを得ることができる。なお、図１８では、第１の配達物又は第２の配達物に対応して住所情報が示されているが、住所情報の概念は必須ではなく、単に配達順序の情報でもよい。
【００５１】
また、購読紙が無い配達先への広告配達を組み合わせることも可能である。例えば、図１９に示すように、ディスプレイ１６に表示される条件設定画面を介して、第１の購読紙Ｎ１と第１の広告束ＡＤＢ１と広告ＡＤ１、２、３の選択と、第２の購読紙Ｎ２と第２の広告束ＡＤＢ２と広告ＡＤ１、３、５の選択に加えて、購読紙が無いことを示す情報と第３の広告束ＡＤＢ３と広告５の選択を実行することにより、購読紙が無い配達先へ広告束ＡＤＢ３（広告５）を配達することが可能となる。
【００５２】
この場合、制御部１１及び丁合挿入処理機構２０は、配達物処理データに基づき、１以上の種類の広告から第１の広告束ＡＤＢ１を作る第１の広告処理、１以上の種類の広告から第２の広告束ＡＤＢ２を作る第２の広告処理、及び１以上の種類の広告から第３の広告束ＡＤＢ３を作る第３の広告処理を選択的に実行し、さらに、第１の購読紙Ｎ１と第１の広告束ＡＤＢ１とを組み合わせて第１の配達物を作る第１の組み合わせ処理、第２の購読紙Ｎ２と第２の広告束ＡＤＢ２とを組み合わせて第２の配達物を作る第２の組み合わせ処理、第３の広告束ＡＤＢ３を第３の配達物として提供する広告束処理を選択的に複数回実行し、配達の昇順又は降順に第１、第２、又は第３の配達物を排出する。
【００５３】
以上により、図２０に示すように、比較的容易に（軽い作業負担で）、配達の昇順（又は降順）に、第１、第２、及び第３の配達物が並べられた配達物セットを得ることができる。なお、図２０では、第１、第２、又は第３の配達物に対応して住所情報が示されているが、住所情報の概念は必須ではなく、単に配達順序の情報でもよい。
【００５４】
或いは、図２１に示すように、ディスプレイ１６に表示される条件設定画面を介して、第１の購読紙Ｎ１と第１の広告束ＡＤＢ１と広告ＡＤ１、２、３の選択と、購読紙が無いことを示す情報と第３の広告束ＡＤＢ３と広告５の選択を実行することにより、購読紙が無い配達先へ広告束ＡＤＢ３（広告５）を配達することが可能となる。
【００５５】
この場合、制御部１１及び丁合挿入処理機構２０は、配達物処理データに基づき、１以上の種類の広告から第１の広告束ＡＤＢ１を作る第１の広告処理、及び１以上の種類の広告から第３の広告束ＡＤＢ３を作る第３の広告処理を選択的に実行し、さらに、第１の購読紙Ｎ１と第１の広告束ＡＤＢ１とを組み合わせて第１の配達物を作る第１の組み合わせ処理、第３の広告束ＡＤＢ３を第３の配達物として提供する第２の組み合わせ処理を選択的に複数回実行し、配達の昇順又は降順に第１、又は第３の配達物を排出する。
【００５６】
以上により、図２２に示すように、比較的容易に（軽い作業負担で）、配達の昇順（又は降順）に、第１及び第３の配達物が並べられた配達物セットを得ることができる。なお、図２２では、第１又は第３の配達物に対応して住所情報が示されているが、住所情報の概念は必須ではなく、単に配達順序の情報でもよい。
【００５７】
また、上記説明した購読紙Ｎ１又はＮ２に替えて、フリーペーパー（冊子）を選択できるようにして、フリーペーパー単独の配達物、又はフリーペーパーと広告束とを組み合わせた配達物を作るようにしてもよい。
【００５８】
図２３は、丁合挿入機１による配達物処理の一例を示すフローチャートである。図２３に示すように、丁合挿入機１の記憶部１２は、制御部１１の動作プログラム、配達物処理データを記憶する（ＳＴ１）。続いて、丁合挿入機１のディスプレイ１６、インジケータ１９等は、所定の棚に各購読紙をセットするようにガイドする（ＳＴ２）。これにより、各購読紙と各棚とが対応付けられる。また、丁合挿入機１のディスプレイ１６、インジケータ１９等は、所定の棚に各広告束をセットするようにガイドする（ＳＴ３）。これにより、各広告束と各棚とが対応付けられる。
【００５９】
丁合挿入機１の制御部１１及び丁合挿入処理機構２０は、記憶されたデータに基づき、各広告束を作る各広告処理を選択的に実行し（ＳＴ４）、さらに、各配達物を作る各組み合わせ処理を選択的に実行し（ＳＴ４）、配達の昇順又は降順に各配達物を排出する（ＳＴ５）。
【００６０】
（第２の実施形態）
例えば、配達エリアを第１区、第２区のように複数の区に区分し、区別に挿入処理を変更したり、組み合わせ処理を変更したり、挿入処理と組み合わせ処理を変更したりするケースが想定される。例えば、第１区〜第３区には第１及び第２の組み合わせ処理を適用し、第４区〜第６区には第１及び第３の組み合わせ処理を適用するケースについて説明する。第１の組み合わせ処理（例えば第１の購読紙Ｎ１と第１の広告束ＡＤＢ１とを組み合わせて第１の配達物を作る第１の組み合わせ処理）及び第２の組み合わせ処理（第２の購読紙Ｎ２と第２の広告束ＡＤＢ２とを組み合わせて第２の配達物を作る第２の組み合わせ処理）については上記説明した通りである。第３の組み合わせ処理を第２の購読紙Ｎ２と第１の広告束ＡＤＢ１とを組み合わせて第３の配達物を作る処理と仮定する。つまり、第１区〜第３区の第２の購読紙Ｎ２の配達先（配達順）には、第２の購読紙Ｎ２と第２の広告束ＡＤＢ２とを組み合わせた第２の配達物が提供されるが、第４区〜第６区の第２の購読紙Ｎ２の配達先（配達順）には、第２の購読紙Ｎ２と第１の広告束ＡＤＢ２１を組み合わせた第３の配達物が提供される。
【００６１】
第１区〜第３区について必要部数が３００、第４区〜第６区について必要部数が４５０と仮定する。また、第１区〜第３区を配達してから第４区〜第６区を配達すると仮定する。配達物処理データは、第１区〜第３区の３００部数（第１の配達順位から第３００の配達順位）について第１及び第２の組み合わせ処理を適用し、第４区〜第６区の４５０部数（第３０１の配達順位〜第７５０の配達順位）について第１及び第３の組み合わせ処理を適用する情報を含む。
【００６２】
制御部１１及び丁合挿入処理機構２０は、配達物処理データに基づき、第１の配達順位から第３００の配達順位について、第１の広告束ＡＤＢ１を作る第１の広告処理、及び第２の広告束ＡＤＢ２を作る第２の広告処理を選択的に実行し、さらに、第１の購読紙Ｎ１と第１の広告束ＡＤＢ１とを組み合わせて第１の配達物を作る第１の組み合わせ処理、及び第２の購読紙Ｎ２と第２の広告束ＡＤＢ２とを組み合わせて第２の配達物を作る第２の組み合わせ処理を選択的に複数回実行し、配達の昇順又は降順に第１又は第２の配達物を排出し、さらに、第３０１の配達順位から第４５０の配達順位について、第１の広告束ＡＤＢ１を作る第１の広告処理、及び第３の広告束ＡＤＢ３を作る第２の広告処理を選択的に実行し、さらに、第１の購読紙Ｎ１と第１の広告束ＡＤＢ１とを組み合わせて第１の配達物を作る第１の組み合わせ処理、及び第２の購読紙Ｎ２と第３の広告束ＡＤＢ３とを組み合わせて第３の配達物を作る第３の組み合わせ処理を選択的に複数回実行し、配達の昇順又は降順に第１又は第２の配達物を排出する。このように、区別に異なる種類の配達物を準備することができる。
【００６３】
（第３の実施形態）
図２４は個人情報データベース、図２５は組み合わせ条件の一例を示す図である。
【００６４】
図２４に示すように、個人情報データベースは、氏名と配達先住所情報と購読紙種別情報とその他情報（生活情報）とを対応付けた登録情報を複数含む。購読紙種別情報は、第１の購読紙Ｎ１、第２の購読紙Ｎ２のように購読紙の種別を含み、また、購読紙が無いことを示す情報も含む。さらに、購読紙種別情報が、フリーペーパー（冊子）を特定する情報を含んでもよい。例えば、その他情報は、住居が持ち家か賃貸かを示す居住情報、マイカーを所有しているか否かのマイカー情報、子供（年齢、学年で定義）がいるか否かの子供情報を含むことができる。また、その他情報は、夕刊の購読有無を示す夕刊購読情報を含むことができる。例えば、夕刊の購読有無を高齢家庭か否かの判断材料とすることができる。なお、個人情報データベース中の住所に替えて配達順位を割り振ることにより、図５に示す道順データベースを省略するようにしてもよい。
【００６５】
図２５に示すように、ディスプレイ１６は、条件設定画面を表示し、ユーザは、タッチパネル１７を介して、購読紙種別と居住情報と夕刊購読情報と広告束種別と広告種別を選択する。例えば、第１の購読紙Ｎ１と持ち家と夕刊購読無しと第１の広告束ＡＤＢ１と広告ＡＤ１、２、３が選択され、さらに、第１の購読紙Ｎ１と賃貸と夕刊購読無しと第２の広告束ＡＤＢ２と広告ＡＤ１、３、５（例えば広告ＡＤ５はマンション販売情報）が選択され、さらに、第１の購読紙Ｎ１と夕刊購読有りと第４の広告束ＡＤＢ４と広告ＡＤ１、３、４（例えば広告ＡＤ４は高齢者向けマンション販売情報）が選択されると仮定する。他にも、図２５に示すような様々な選択が可能である。これらの選択操作は、第１の購読紙Ｎ１を指定している持ち家且つ夕刊購読無しの配達先用に、広告ＡＤ１、２、３を丁合して第１の広告束ＡＤＢ１を作り、第１の購読紙Ｎ１に対して第１の広告束ＡＤＢ１を挿入して第１の配達物を作ることの指定入力を意味し、第１の購読紙Ｎ１を指定している持ち家且つ夕刊購読無しの配達先用に、広告ＡＤ１、３、５を丁合して第２の広告束ＡＤＢ２を作り、第２の購読紙Ｎ２に対して第２の広告束ＡＤＢ２を挿入して第２の配達物を作ることの指定入力を意味し、さらに、第１の購読紙Ｎ１を指定している夕刊購読有りの配達先用に、広告ＡＤ１、３、４を丁合して第４の広告束ＡＤＢ４を作り、第１の購読紙Ｎ１に対して第４の広告束ＡＤＢ４を挿入して第４の配達物を作ることの指定入力を意味する。
【００６６】
制御部１１及び丁合挿入処理機構２０は、配達物処理データに基づき、１以上の種類の広告から第１の広告束ＡＤＢ１を作る第１の広告処理、１以上の種類の広告から第２の広告束ＡＤＢ２を作る第２の広告処理、１以上の種類の広告から第４の広告束ＡＤＢ４を作る第４の広告処理、及び各種の広告から様々な広告束を作る広告処理を選択的に実行し、さらに、第１の組み合わせ処理、第２の組み合わせ処理、第１の購読紙Ｎ１と第４の広告束ＡＤＢ４とを組み合わせて第４の配達物を作る第４の組み合わせ処理、各種の購読紙と各種の広告束とを組み合わせて様々な配達物を作る組み合わせ処理、及び購読紙無しで１種類以上の広告を含む配達物を作る組み合わせ処理を選択的に複数回実行し、配達の昇順又は降順に配達物を排出する。
【００６７】
以上により、比較的容易に（軽い作業負担で）、配達の昇順（又は降順）に、様々な配達物が並べられた配達物セットを得ることができる。
【００６８】
（第４の実施形態）
上記第１、第２、及び第３の実施形態では、配達順に異なる配達物を作成し排出するケースについて説明したが、配達順序の概念を導入せず、丁合挿入機１は、同一の配達物を指定部数作ることもできる。
【００６９】
例えば、丁合挿入機１は、入力部１５等を介して入力（指定）され且つ記憶部１２に記憶された第１の配達物構成情報及び第１の部数に基づき、１種類以上の広告から第１の広告束を作る第１の広告処理を第１の部数の回数だけ実行して第１の部数の第１の広告束を作り、第１の購読紙と第１の広告束とを組み合わせて第１の配達物を作る第１の組み合わせ処理を第１の部数の回数だけ実行し、第１の部数の第１の配達物を作り排出する。なお、第１の配達物構成情報は、第１の組み合わせ条件を含み、第１の組み合わせ条件は、第１の購読紙と第１の広告束の組み合わせを示す情報、及び第１の広告束を構成する広告の種別に関する第１の広告種別情報を含む。なお、本実施形態は、事前に、第１の広告束を別工程で作成し、第１の広告束を棚にセットしておくケースも含まれ、このケースでは、上記第１の広告処理は省略され、第１の購読紙に対して事前にセットされた第１の広告束が組み合わせられる。
【００７０】
加えて、丁合挿入機１は、入力部１５等を介して入力（指定）され且つ記憶部１２に記憶された第２の配達物構成情報及び第２の部数に基づき、１種類以上の広告から第２の広告束を作る第２の広告処理を第２の部数の回数だけ実行して第２の部数の第２の広告束を作り、第１の購読紙と第２の広告束とを組み合わせて第１の配達物を作る第２の組み合わせ処理を第２の部数の回数だけ実行し、第２の部数の第２の配達物を作り排出する。なお、第２の配達物構成情報は、第２の組み合わせ条件を含み、第２の組み合わせ条件は、第１の購読紙と第２の広告束の組み合わせを示す情報、及び第２の広告束を構成する広告の種別に関する第２の広告種別情報を含む。なお、本実施形態は、事前に、第２の広告束を別工程で作成し、第２の広告束を棚にセットしておくケースも含まれ、このケースでは、上記第２の広告処理は省略され、第１の購読紙に対して事前にセットされた第２の広告束が組み合わせられる。
【００７１】
例えば、第１区に３００部の第１の配達物（第１の広告束と第１の購読紙の組み合わせ）を配達し、第２区に２００部の第２の配達物（第２の広告束と第１の購読紙の組み合わせ）を配達する場合、上記処理により、第１の部数を３００、第２の部数を２００に設定することにより、比較的容易に（軽い作業負担で）、第１区の３００部の第１の配達物及び第２区の２００部の第２の配達物を得ることができる。
【００７２】
なお、上記説明では、配達物構成情報と部数とを指定するケースについて説明したが、配達区域の情報に対して配達物構成情報と部数を対応付けて記憶することにより、配達区域を指定して、配達区域別の配達物を得ることもできる。
【００７３】
例えば、入力部１５等を介して、第１の区域情報に対して第１の配達物構成情報と第１の部数を対応付けて入力し、第２の区域情報に対して第２の配達物構成情報と第２の部数を対応付けて入力する。記憶部１２は、第１の区域情報に対応する第１の配達物構成情報及び第１の部数を記憶し、第２の区域情報に対応する第２の配達物構成情報及び第２の部数を記憶する。例えば、第１の配達物構成情報は、第１の組み合わせ条件を含み、第１の組み合わせ条件は、第１の購読紙と第１の広告束の組み合わせを示す情報、及び第１の広告束を構成する広告の種別に関する第１の広告種別情報を含む。第２の配達物構成情報は、第２の組み合わせ条件を含み、第２の組み合わせ条件は、第２の購読紙と第２の広告束の組み合わせを示す情報、及び第２の広告束を構成する広告の種別に関する第２の広告種別情報を含む。
【００７４】
丁合挿入機１は、入力部１５等を介して入力（指定）された第１の区域情報に基づき、１種類以上の広告から第１の広告束を作る第１の広告処理を第１の部数の回数だけ実行して第１の部数の第１の広告束を作り、第１の購読紙と第１の広告束とを組み合わせて第１の配達物を作る第１の組み合わせ処理を第１の部数の回数だけ実行し、第１の部数の第１の配達物を作り排出する。なお、本実施形態は、事前に、第１の広告束を別工程で作成し、第１の広告束を棚にセットしておくケースも含まれ、このケースでは、上記第１の広告処理は省略され、第１の購読紙に対して事前にセットされた第１の広告束が組み合わせられる。
【００７５】
また、丁合挿入機１は、入力部１５等を介して入力（指定）された第２の区域情報に基づき、１種類以上の広告から第２の広告束を作る第２の広告処理を第２の部数の回数だけ実行して第２の部数の第２の広告束を作り、第２の購読紙と第２の広告束とを組み合わせて第２の配達物を作る第２の組み合わせ処理を第２の部数の回数だけ実行し、第２の部数の第２の配達物を作り排出する。なお、本実施形態は、事前に、第２の広告束を別工程で作成し、第２の広告束を棚にセットしておくケースも含まれ、このケースでは、上記第１の広告処理は省略され、第２の購読紙に対して事前にセットされた第１の広告束が組み合わせられる。
【００７６】
なお、第１及び第２の区域情報が入力（同時入力）された場合には、丁合挿入機１は、第１の部数の第１の配達物を作った後、ディスプレイ１６等を介して第１の配達物の準備が整ったことを案内表示し、入力部１５等を介して次の処理の開始指示を受け付けてから、第２の広告処理を開始し第２の配達物を作成し排出するようにしてもよい。或いは、丁合挿入機１は、第１の部数の第１の配達物を作った後、予め棚に収納された識別用のペーパー（カラーペーパー等）を排出してから、第２の広告処理を開始し第２の配達物を作成し排出するようにしてもよい。これにより、第１の配達物と第２の配達物との区別が確実となる。
【００７７】
以上により、丁合処理と挿入処理とを一連の処理として実行することができ、処理の効率化を図ることができる。例えば、丁合機により丁合処理を実行し、挿入機により挿入処理を実行する場合、丁合物の運搬作業等が発生し、作業負担が重くなる。また、上記のように異なる第１の配達物と第２の配達物の準備が必要な場合、組み合わせ間違いが生じるおそれがある。本実施形態の丁合挿入機１によれば、このような作業負担を軽減することができ、また組み合わせ間違いを防止することができる。
【００７８】
なお、上記処理の手順は全てソフトウェアによって実行することが可能である。このため、上記処理の手順を実行するプログラムを格納したコンピュータ読み取り可能な記憶媒体を通じてこのプログラムを丁合挿入機１にインストールして実行するだけで、上記処理を容易に実現することができる。
【００７９】
例えば、通信部１３を介して、コンピュータ読み取り可能な記憶媒体から上記プログラムを読み取り、記憶部１２等に読み取ったプログラムを記憶し、プログラムのインストールを完了することができる。或いは、通信部１３を介して、上記プログラムをダウンロードし、記憶部１２等にダウンロードしたプログラムを記憶し、プログラムのインストールを完了することができる。これにより、丁合挿入機１の制御部１１及び丁合挿入処理機構２０は、インストールされた上記プログラムに基づき、上記処理を容易に実現することができる。
【００８０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８１】
１…丁合挿入機、１１…制御部、１２…記憶部、１３…通信部、１４…情報処理部、１５…入力部、１６…ディスプレイ、１７…タッチパネル、１８…束設置検知センサ、１９…インジケータ、２０…丁合挿入処理機構、ＩＮＤ１〜９、１１〜１５…インジケータ、ＳＥＮ１〜９、１１〜１５…束設置検知センサ、ＳＨＥ１〜９、１１〜１５…棚。
【図１】
2017146917.tif 000003
【図２】
2017146917.tif 000004
【図３】
2017146917.tif 000005
【図４】
2017146917.tif 000006
【図５】
2017146917.tif 000007
【図６】
2017146917.tif 000008
【図７】
2017146917.tif 000009
【図８】
2017146917.tif 000010
【図９】
2017146917.tif 000011
【図１０】
2017146917.tif 000012
【図１１】
2017146917.tif 000013
【図１２】
2017146917.tif 000014
【図１３】
2017146917.tif 000015
【図１４】
2017146917.tif 000016
【図１５】
2017146917.tif 000017
【図１６】
2017146917.tif 000018
【図１７】
2017146917.tif 000019
【図１８】
2017146917.tif 000020
【図１９】
2017146917.tif 000021
【図２０】
2017146917.tif 000022
【図２１】
2017146917.tif 000023
【図２２】
2017146917.tif 000024
【図２３】
2017146917.tif 000025
【図２４】
2017146917.tif 000026
【図２５】
2017146917.tif 000027
【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
住所に基づく１〜Ｎ（Ｎ≧２、Ｎ：整数）番目の配達順にどのような配達物を配達すべきかを示すデータであって、配達物構成情報と配達順情報を対応付けた配達物処理データを記憶する記憶部と、
前記配達物処理データに基づき、第１の配達物を作る第１の組み合わせ処理、及び第２の配達物を作る第２の組み合わせ処理を選択的に複数回実行し、前記配達順に前記第１又は第２の配達物を排出する配達物処理部と、
を備え、
前記配達物構成情報は、購読紙種別情報と広告束種別情報とを含み、
前記第１の組み合わせ処理は、前記配達物処理データに基づき、第１の購読紙と１種類以上の広告を含む第１の広告束とを組み合わせて前記第１の配達物を作り、
前記第２の組み合わせ処理は、前記配達物処理データに基づき、第２の購読紙と１種類以上の広告を含む第２の広告束とを組み合わせて前記第２の配達物を作る配達物処理装置。
【請求項２】
住所に基づく１〜Ｎ（Ｎ≧２、Ｎ：整数）番目の配達順にどのような配達物を配達すべきかを示すデータであって、配達物構成情報と配達順情報を対応付けた配達物処理データを記憶する記憶部と、
前記配達物処理データに基づき、第１の配達物を作る第１の組み合わせ処理、及び第２の配達物を作る第２の組み合わせ処理を選択的に複数回実行し、前記配達順に前記第１又は第２の配達物を排出する配達物処理部と、
を備え、
前記配達物構成情報は、購読紙種別情報と広告束種別情報とを含み、
前記第１の組み合わせ処理は、前記配達物処理データに基づき、第１の購読紙と１種類以上の広告を含む第１の広告束とを組み合わせて前記第１の配達物を作り、
前記第２の組み合わせ処理は、前記配達物処理データに基づき、前記第１の購読紙と１種類以上の広告を含む第２の広告束とを組み合わせて前記第２の配達物を作る配達物処理装置。
【請求項３】
住所に基づく１〜Ｎ（Ｎ≧２、Ｎ：整数）番目の配達順にどのような配達物を配達すべきかを示すデータであって、配達物構成情報と配達順情報を対応付けた配達物処理データを記憶する記憶部と、
前記配達物処理データに基づき、第１の配達物を作る第１の組み合わせ処理、及び第２の配達物を作る第２の組み合わせ処理を選択的に複数回実行し、前記配達順に前記第１又は第２の配達物を排出する配達物処理部と、
を備え、
前記配達物構成情報は、購読紙種別情報と広告束種別情報とを含み、
前記第１の組み合わせ処理は、前記配達物処理データに基づき、第１の購読紙と１種類以上の広告を含む第１の広告束とを組み合わせて前記第１の配達物を作り、
前記第２の組み合わせ処理は、前記配達物処理データに基づき、第２の購読紙と前記第１の広告束とを組み合わせて前記第２の配達物を作る配達物処理装置。
【請求項４】
住所に基づく１〜Ｎ（Ｎ≧２、Ｎ：整数）番目の配達順にどのような配達物を配達すべきかを示すデータであって、配達物構成情報と配達順情報を対応付けた配達物処理データを記憶する記憶部と、
前記配達物処理データに基づき、第１の配達物を作る第１の組み合わせ処理、及び第２の配達物を作る第２の組み合わせ処理を選択的に複数回実行し、前記配達順に前記第１又は第２の配達物を排出する配達物処理部と、
を備え、
前記配達物構成情報は、購読紙種別情報と広告束種別情報とを含み、
前記第１の組み合わせ処理は、前記配達物処理データに基づき、第１の購読紙と１種類以上の広告を含む第１の広告束とを組み合わせて前記第１の配達物を作り、
前記第２の組み合わせ処理は、前記配達物処理データに基づき、前記第１の購読紙により広告束を含まない前記第２の配達物を作る配達物処理装置。
【請求項５】
住所に基づく１〜Ｎ（Ｎ≧２、Ｎ：整数）番目の配達順にどのような配達物を配達すべきかを示すデータであって、配達物構成情報と配達順情報を対応付けた配達物処理データを記憶する記憶部と、
前記配達物処理データに基づき、第１の配達物を作る第１の組み合わせ処理、及び第２の配達物を作る第２の組み合わせ処理を選択的に複数回実行し、前記配達順に前記第１又は第２の配達物を排出する配達物処理部と、
を備え、
前記配達物構成情報は、購読紙種別情報と広告束種別情報とを含み、
前記第１の組み合わせ処理は、前記配達物処理データに基づき、第１の購読紙と１種類以上の広告を含む第１の広告束とを組み合わせて前記第１の配達物を作り、
前記第２の組み合わせ処理は、前記配達物処理データに基づき、１種類以上の広告を含む第２の広告束により前記第２の配達物を作る配達物処理装置。
【請求項６】
住所に基づく１〜Ｎ（Ｎ≧２、Ｎ：整数）番目の配達順にどのような配達物を配達すべきかを示すデータであって、配達物構成情報と配達順情報を対応付けた配達物処理データを記憶する記憶部と、
前記配達物処理データに基づき、第１の配達物を作る第１の組み合わせ処理、及び第２の配達物を作る第２の組み合わせ処理を選択的に複数回実行し、前記配達順に前記第１又は第２の配達物を排出する配達物処理部と、
を備え、
前記配達物構成情報は、購読紙種別情報と広告束種別情報とを含み、
前記第１の組み合わせ処理は、前記配達物処理データに基づき、第１の購読紙と１種類以上の広告を含む第１の広告束とを組み合わせて前記第１の配達物を作り、
前記第２の組み合わせ処理は、前記配達物処理データに基づき、冊子と１種類以上の広告を含む第２の広告束とを組み合わせて前記第２の配達物を作る配達物処理装置。
【請求項７】
前記配達物処理部は、前記配達物処理データに基づき、第１の配達順位から第２の配達順位まで前記第１及び第２の組み合わせ処理を選択的に複数回実行し、第３の配達順位から第４の配達順位まで前記第１の組み合わせ処理と第３の組み合わせ処理を選択的に複数回実行し、
前記第３の組み合わせ処理は、前記第２の購読紙と前記第１の広告束とを組み合わせて第３の配達物を作る請求項１の配達物処理装置。
【請求項８】
前記記憶部は、前記第１の広告束を構成する広告の種別に関する第１の広告種別情報を記憶し、
前記配達物処理部は、前記配達物処理データ及び前記第１の広告種別情報に基づき、１種類以上の広告から前記第１の広告束を作る第１の広告処理を実行し、さらに、前記第１及び第２の組み合わせ処理を選択的に実行する請求項１の配達物処理装置。
【請求項９】
前記記憶部は、前記第２の広告束に含まれる広告の種別に関する第２の広告種別情報を記憶し、
前記配達物処理部は、前記配達物処理データ、前記第１及び第２の広告種別情報に基づき、前記第１の広告処理、及び１種類以上の広告から前記第２の広告束を作る第２の広告処理を選択的に実行し、さらに、前記第１及び第２の組み合わせ処理を選択的に実行する請求項８の配達物処理装置。
【請求項１０】
前記第１の購読紙と前記第１の広告束との第１の組み合わせの入力を受け付ける入力部を備える請求項１乃至９の何れか一つの配達物処理装置。
【請求項１１】
複数種類の購読紙をセットする複数の棚と、
前記第１の組み合わせの入力に対応して前記複数の棚の中の第１の棚へ前記第１の購読紙をセットすることをガイドし、前記第２の組み合わせの入力に対応して前記複数の棚の中の第２の棚へ前記第２の購読紙をセットすることをガイドするガイド部と、
を備える請求項１の配達物処理装置。
【請求項１２】
前記第１の購読紙と前記第１の広告束と第１の生活情報との第１の組み合わせの入力、及び前記第１の購読紙と前記第２の広告束と第２の生活情報との第２の組み合わせの入力を受け付ける入力部を備え、
前記第１の組み合わせ処理は、前記第１の組み合わせの入力に基づき、前記第１の配達物を作り、
前記第２の組み合わせ処理は、前記第２の組み合わせの入力に基づき、前記第２の配達物を作る請求項２の配達物処理装置。
【請求項１３】
住所と購読紙種別とを対応付けた登録情報を複数含む個人情報データベース、購読紙種別と広告束種別を含む組み合わせ条件、及び各住所と配達順の関係を示すデータを含む道順データベースに基づき、前記配達物処理データを生成する情報処理部を備える請求項１乃至１２の何れか一つの配達物処理装置。
【請求項１４】
購読紙種別を選択するための第１の項目に対応付けて、広告束種別を選択するための第２の項目及び前記広告束種別に含まれる広告を選択するための第３の項目を表示し、前記第１乃至第３の項目を介して前記購読紙種別、前記広告束種別、及び前記広告束種別の入力を受け付ける入力部を備える請求項１乃至９の何れか一つの配達物処理装置。
【請求項１５】
購読紙種別を選択するための第１の項目に対応付けて、広告束種別を選択するための第２の項目と前記広告束種別に含まれる広告を選択するための第３の項目とを表示し、前記第１乃至第３の項目を介して前記購読紙種別、前記広告束種別、及び前記広告束種別の入力を受け付ける入力部を備え、
前記第１の項目は、第１の購読紙を選択する項目であり、
前記第２の項目は、第１の広告束及び広告束無しの何れか一つを選択する項目である請求項４の配達物処理装置。
【請求項１６】
購読紙種別を選択するための第１の項目に対応付けて、広告束種別を選択するための第２の項目と前記広告束種別に含まれる広告を選択するための第３の項目とを表示し、前記第１乃至第３の項目を介して前記購読紙種別、前記広告束種別、及び前記広告束種別の入力を受け付ける入力部を備え、
前記第１の項目は、第１の購読紙及び購読紙無しの何れか一つを選択する項目であり、
前記第２の項目は、第１及び第２の広告束の何れか一つを選択する項目である請求項５の配達物処理装置。
【請求項１７】
購読紙種別を選択するための第１の項目に対応付けて、広告束種別を選択するための第２の項目と前記広告束種別に含まれる広告を選択するための第３の項目とを表示し、前記第１乃至第３の項目を介して前記購読紙種別、前記広告束種別、及び前記広告束種別の入力を受け付ける入力部を備え、
前記第１の項目は、第１の購読紙及び冊子の何れか一つを選択する項目であり、
前記第２の項目は、第１及び第２の広告束の何れか一つを選択する項目である請求項６の配達物処理装置。
【請求項１８】
住所に基づく１〜Ｎ（Ｎ≧２、Ｎ：整数）番目の配達順にどのような配達物を配達すべきかを示すデータであって、配達物構成情報と配達順情報を対応付けた配達物処理データに基づき、第１の配達物を作る第１の組み合わせ処理、及び第２の購読紙と第２の広告束とを組み合わせて第２の配達物を作る第２の組み合わせ処理を選択的に複数回実行し、前記配達順に前記第１又は第２の配達物を排出する手順をコンピュータに実行させるためのプログラムであって、
前記配達物構成情報は、購読紙種別情報と広告束種別情報とを含み、
前記第１の組み合わせ処理は、前記配達物処理データに基づき、第１の購読紙と１種類以上の広告を含む第１の広告束とを組み合わせて前記第１の配達物を作り、
前記第２の組み合わせ処理は、前記配達物処理データに基づき、第２の購読紙と１種類以上の広告を含む第２の広告束とを組み合わせて前記第２の配達物を作る配達物処理プログラム。
【手続補正２】
【補正対象書類名】明細書
【補正対象項目名】００８０
【補正方法】変更
【補正の内容】
【００８０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
以下、本願の出願当初の特許請求の範囲に記載された発明を付記する。
［Ｃ１］
配達物構成情報と配達順情報を対応付けた配達物処理データを記憶する記憶部と、
前記配達物処理データに基づき、第１の配達物を作る第１の組み合わせ処理、及び第２の配達物を作る第２の組み合わせ処理を選択的に複数回実行し、配達順に前記第１又は第２の配達物を排出する配達物処理部と、
を備える配達物処理装置。
［Ｃ２］
前記配達物構成情報は、購読紙種別情報と広告束種別情報とを含み、
前記第１の組み合わせ処理は、前記配達物処理データに基づき、第１の購読紙と１種類以上の広告を含む第１の広告束とを組み合わせて前記第１の配達物を作る［Ｃ１］の配達物処理装置。
［Ｃ３］
前記第２の組み合わせ処理は、前記配達物処理データに基づき、第２の購読紙と１種類以上の広告を含む第２の広告束とを組み合わせて前記第２の配達物を作る［Ｃ２］の配達物処理装置。
［Ｃ４］
前記第２の組み合わせ処理は、前記配達物処理データに基づき、前記第１の購読紙と１種類以上の広告を含む第２の広告束とを組み合わせて前記第２の配達物を作る［Ｃ２］の配達物処理装置。
［Ｃ５］
前記第２の組み合わせ処理は、前記配達物処理データに基づき、第２の購読紙と前記第１の広告束とを組み合わせて前記第２の配達物を作る［Ｃ２］の配達物処理装置。
［Ｃ６］
前記第２の組み合わせ処理は、前記配達物処理データに基づき、前記第１の購読紙により広告束を含まない前記第２の配達物を作る［Ｃ２］の配達物処理装置。
［Ｃ７］
前記第２の組み合わせ処理は、前記配達物処理データに基づき、１種類以上の広告を含む第２の広告束により前記第２の配達物を作る［Ｃ２］の配達物処理装置。
［Ｃ８］
前記第２の組み合わせ処理は、前記配達物処理データに基づき、冊子と１種類以上の広告を含む第２の広告束とを組み合わせて前記第２の配達物を作る［Ｃ２］の配達物処理装置。
［Ｃ９］
前記配達物処理部は、前記配達物処理データに基づき、第１の配達順位から第２の配達順位まで前記第１及び第２の組み合わせ処理を選択的に複数回実行し、第３の配達順位から第４の配達順位まで前記第１の組み合わせ処理と第３の組み合わせ処理を選択的に複数回実行し、
前記第３の組み合わせ処理は、前記第２の購読紙と前記第１の広告束とを組み合わせて第３の配達物を作る［Ｃ３］の配達物処理装置。
［Ｃ１０］
前記記憶部は、前記第１の広告束を構成する広告の種別に関する第１の広告種別情報を記憶し、
前記配達物処理部は、前記配達物処理データ及び前記第１の広告種別情報に基づき、１種類以上の広告から前記第１の広告束を作る第１の広告処理を実行し、さらに、前記第１及び第２の組み合わせ処理を選択的に実行する［Ｃ３］の配達物処理装置。
［Ｃ１１］
前記記憶部は、前記第２の広告束に含まれる広告の種別に関する第２の広告種別情報を記憶し、
前記配達物処理部は、前記配達物処理データ、前記第１及び第２の広告種別情報に基づき、前記第１の広告処理、及び１種類以上の広告から前記第２の広告束を作る第２の広告処理を選択的に実行し、さらに、前記第１及び第２の組み合わせ処理を選択的に実行する［Ｃ１０］の配達物処理装置。
［Ｃ１２］
前記第１の購読紙と前記第１の広告束との第１の組み合わせの入力を受け付ける入力部を備える［Ｃ２］の配達物処理装置。
［Ｃ１３］
複数種類の購読紙をセットする複数の棚と、
前記第１の組み合わせの入力に対応して前記複数の棚の中の第１の棚へ前記第１の購読紙をセットすることをガイドし、前記第２の組み合わせの入力に対応して前記複数の棚の中の第２の棚へ前記第２の購読紙をセットすることをガイドするガイド部と、
を備える［Ｃ３］の配達物処理装置。
［Ｃ１４］
前記第１の購読紙と前記第１の広告束と第１の生活情報との第１の組み合わせの入力、及び前記第１の購読紙と前記第２の広告束と第２の生活情報との第２の組み合わせの入力を受け付ける入力部を備え、
前記第１の組み合わせ処理は、前記第１の組み合わせの入力に基づき、前記第１の配達物を作り、
前記第２の組み合わせ処理は、前記第２の組み合わせの入力に基づき、前記第２の配達物を作る［Ｃ４］の配達物処理装置。
［Ｃ１５］
配達物構成情報と配達順情報を対応付けた配達物処理データに基づき、第１の配達物を作る第１の組み合わせ処理、及び第２の購読紙と第２の広告束とを組み合わせて第２の配達物を作る第２の組み合わせ処理を選択的に複数回実行させる手順をコンピュータに実行させるための配達物処理プログラム。
［Ｃ１６］
第１の広告束を構成する広告の種別に関する第１の広告種別情報を記憶する記憶部と、
前記第１の広告種別情報及び指定された第１の部数に基づき１種類以上の広告から前記第１の部数の前記第１の広告束を作り、第１の購読紙と前記第１の広告束とを組み合わせて前記第１の部数の第１の配達物を作る配達物処理部と、
を備える配達物処理装置。
［Ｃ１７］
前記記憶部は、第２の広告束を構成する広告の種別に関する第２の広告種別情報を記憶し、
前記配達物処理部は、前記第２の広告種別情報及び指定された第２の部数に基づき１種類以上の広告から前記第２の部数の前記第２の広告束を作り、前記第１の購読紙と前記第２の広告束とを組み合わせて前記第２の部数の第２の配達物を作る［Ｃ１６］の配達物処理装置。
［Ｃ１８］
前記記憶部は、第１の区域情報に対応する第１の部数、前記第１の広告種別情報、及び前記第１の購読紙を指定する第１の購読紙種別情報を記憶し、
前記配達物処理部は、指定された前記第１の区域情報に基づき前記第１の部数の前記第１の広告束を作り、前記第１の購読紙と前記第１の広告束とを組み合わせて前記第１の部数の第１の配達物を作る［Ｃ１６］の配達物処理装置。
［Ｃ１９］
前記記憶部は、第２の区域情報に対応する第２の部数、第２の広告束を構成する広告の種別に関する第２の広告種別情報、及び第２の購読紙を指定する第２の購読紙種別情報を記憶し、
前記配達物処理部は、指定された前記第２の区域情報に基づき前記第２の部数の前記第２の広告束を作り、前記第２の購読紙と前記第２の広告束とを組み合わせて前記第２の部数の第２の配達物を作る［Ｃ１８］の配達物処理装置。
［Ｃ２０］
第１の広告束を構成する広告の種別に関する第１の広告種別情報及び指定された第１の部数に基づき１種類以上の広告から前記第１の部数の前記第１の広告束を作り、第１の購読紙と前記第１の広告束とを組み合わせて前記第１の部数の第１の配達物を作る配達物処理プログラム。